(57)【要約】【課題】  主記憶装置の一部を液晶表示装置用のフレームメモリとして用いる場合に、液晶表示装置での表示品質を低下させることなく、処理速度の低下を軽減する。【解決手段】  制御装置と、液晶表示装置を制御する液晶制御装置と、主記憶装置とを備え、前記制御装置と前記液晶制御装置とが前記主記憶装置のバスを共有する電子機器のコントローラであって、前記液晶制御装置は、前記電子機器の処理状態があらかじめ定めた状態である場合に、内部に格納した簡易画像データと、前記主記憶装置から読み出した前記液晶表示装置の表示画面より小さいサイズの部分画像データとから表示用画面データを生成して、前記液晶表示装置に出力することを特徴とする電子機器のコントローラ。【選択図】  図１
2006343511.tif 000002
【特許請求の範囲】
【請求項１】
制御装置と、液晶表示装置を制御する液晶制御装置と、主記憶装置とを備え、前記制御装置と前記液晶制御装置とが前記主記憶装置のバスを共有する電子機器のコントローラであって、
前記液晶制御装置は、前記電子機器の処理状態があらかじめ定めた状態である場合に、内部に格納した簡易画像データと、前記主記憶装置から読み出した前記液晶表示装置の表示画面より小さいサイズの部分画像データとから表示用画面データを生成して、前記液晶表示装置に出力することを特徴とする電子機器のコントローラ。
【請求項２】
請求項１に記載の電子機器のコントローラであって、
前記液晶制御装置は、前記電子機器の処理状態があらかじめ定めた状態以外の場合には、前記主記憶装置から読み出した、前記部分データより大きいサイズの全画面画像データから表示用画面データを生成して、前記液晶表示装置に出力することを特徴とする電子機器のコントローラ。
【請求項３】
請求項１に記載の電子機器のコントローラであって、
さらに不揮発性記憶装置を備え、
前記簡易画像データは、前記不揮発性記憶装置から前記液晶制御装置に格納され、前記部分画像データは、前記不揮発性記憶装置から前記主記憶装置に格納されることを特徴とする電子機器のコントローラ。
【請求項４】
請求項１に記載の電子機器のコントローラであって、
前記液晶制御装置は、さらに前記部分画像データの表示位置を読み込み、読み込んだ表示位置にしたがって前記表示用画面データを配置し、前記表示用画面データを生成することを特徴とする電子機器のコントローラ。
【請求項５】
請求項４に記載の電子機器のコントローラであって、
前記液晶表示装置は、複数の簡易画像データを格納し、さらに、それぞれの簡易画像データを表示する領域を示す領域情報を読み込み、読み込んだ領域情報にしたがってそれぞれの簡易画像データを配置し、前記表示用画面データを生成することを特徴とする電子機器のコントローラ。
【請求項６】
請求項１に記載の電子機器のコントローラであって、
前記液晶制御装置は、前記簡易画像データを繰り返し用いて前記表示用画面データを生成することを特徴とする電子機器のコントローラ。
【請求項７】
請求項６に記載の電子機器のコントローラであって、
前記簡易画像データは、前記液晶表示装置の１ドットあるいは２ドット分のサイズであることを特徴とする電子機器のコントローラ。
【請求項８】
請求項１〜７のいずれか一項に記載のコントローラであって、
前記電子機器は印刷装置であり、
前記あらかじめ定めた状態は、印刷処理状態を含むことを特徴とするコントローラ。
【請求項９】
制御装置と、液晶表示装置を制御する液晶制御装置と、主記憶装置とを備え、前記制御装置と前記液晶制御装置とが前記主記憶装置のバスを共有する電子機器のコントローラにおける液晶表示装置の表示制御方法であって、
前記電子機器の処理状態を取得するステップと、
前記処理状態があらかじめ定めた状態である場合に、
前記液晶表示装置の内部に簡易画像データを格納するステップと、
前記主記憶装置から前記液晶表示装置に、前記液晶表示装置の表示画面より小さいサイズの部分画像データを繰り返し出力するステップと、
前記液晶表示装置が、前記格納された簡易画像データと前記繰り返し入力される部分画像データとから表示用画面データを生成して、前記液晶表示装置に表示させるステップとを有することを特徴とする液晶表示装置の表示制御方法。
【請求項１０】
制御装置と、液晶表示装置を制御する液晶制御装置と、主記憶装置とを備え、前記制御装置と前記液晶制御装置とが前記主記憶装置のバスを共有する電子機器のコントローラにおける液晶表示装置の表示制御方法であって、
前記電子機器の処理状態を取得するステップと、
前記処理状態があらかじめ定めた状態である場合に、
前記主記憶装置から前記液晶表示装置に、前記液晶表示装置の表示画面より小さいサイズの部分画像データを繰り返し出力するステップと、
前記液晶表示装置が、当該液晶表示装置の内部に格納された簡易画像データと前記繰り返し入力される部分画像データとから表示用画面データを生成して、前記液晶表示装置に表示させるステップとを有することを特徴とする液晶表示装置の表示制御方法。
【発明の詳細な説明】
【技術分野】
【０００１】
本発明は、電子機器のコントローラに関し、特に、制御装置と液晶制御装置とが主記憶装置のバスを共有する電子機器のコントローラにおける液晶表示技術に関する。
【背景技術】
【０００２】
印刷装置等の電子機器では、ユーザインタフェース用の表示装置としてＬＣＤ（Liquid Crystal Display：液晶表示装置）が広く用いられている。
【０００３】
従来は、ＬＣＤに表示させる画面データを格納するために、メインメモリとは別のフレームメモリがＬＣＤ専用に設けられており、コストの上昇を招いていた。これに対し、特許文献１には、フレームメモリを省くことによるコストダウンを図るため、メインメモリの一部をフレームメモリとして用いることが記載されている。
【０００４】
図８は、そのような電子機器のＬＣＤ関連の構成の一例を示すブロック図である。本図に示すように、ＬＣＤ８００の表示を制御するＬＣＤコントローラ７３０は、ＲＡＭ７４０に格納された画面データを読み出して、ＬＣＤ８００に出力する。そして、ＬＣＤ８００が入力した画面データに基づいた画面表示を行なう。これにより、ＬＣＤコントローラ７３０内に専用のフレームメモリを設けることなく、ＬＣＤ８００での画面表示が可能になっている。
【０００５】
一般に、ＬＣＤコントローラ７３０は、ＬＣＤ８００での表示品質を保つため、表示内容に変更がない場合でも、例えば、１秒間に６０回程度の割合で、ＲＡＭ７４０から画面データを読み出して、ＬＣＤ８００に送信する。このために、ＲＡＭ７４０とメモリコントローラ７２０との間のメモリバスが使用されることになる。
【０００６】
【特許文献１】特開２００１−２６５３０３号公報
【発明の開示】
【発明が解決しようとする課題】
【０００７】
ところで、ＲＡＭ７４０は、本来、ＣＰＵ７１０の各種処理のための記憶領域として用いられる。このため、ＣＰＵ７１０が処理を行なう場合には、ＲＡＭ７４０とメモリコントローラ７２０との間のメモリバスを使用する。
【０００８】
しかし、上述のように、メモリバスはＬＣＤの表示のためにも用いられるため、ＣＰＵ７１０の処理のためのデータ伝送速度が十分確保できない場合が生じ、処理速度が低下してしまうおそれがある。
【０００９】
一方で、ＣＰＵ７１０の処理を優先させて、ＬＣＤコントローラ７３０がＲＡＭ７４０からの画面データの読み込み回数を減らすとすると、ＬＣＤでの表示品質の低下を招いてしまう。
【００１０】
本発明は、主記憶装置の一部を液晶表示装置用のフレームメモリとして用いる場合に、液晶表示装置での表示品質を低下させることなく、処理速度の低下を軽減することを目的とする。
【課題を解決するための手段】
【００１１】
上記課題を解決するため本発明の第１の態様によれば、制御装置と、液晶表示装置を制御する液晶制御装置と、主記憶装置とを備え、前記制御装置と前記液晶制御装置とが前記主記憶装置のバスを共有する電子機器のコントローラであって、
前記液晶制御装置は、前記電子機器の処理状態があらかじめ定めた状態である場合に、内部に格納した簡易画像データと、前記主記憶装置から読み出した前記液晶表示装置の表示画面より小さいサイズの部分画像データとから表示用画面データを生成して、前記液晶表示装置に出力することを特徴とする電子機器のコントローラが提供される。
【００１２】
本発明では、液晶表示装置の表示画面より小さいサイズの部分画像データを主記憶装置から読み出すようにしているため、表示画面と同じサイズの画像データを読み出すよりもバスの使用量を減らすことができ、処理速度の低下を軽減することができる。また、部分画像データと液晶制御装置内部に格納した簡易画像データとを用いて画面データを作成する際に、主記憶装置からの部分画像データの読み込み回数を減らす必要がないため、液晶表示装置での表示品質も保つことができる。
【００１３】
一方、前記電子機器の処理状態があらかじめ定めた状態以外の場合には、前記主記憶装置から読み出した、前記部分データより大きいサイズの全画面画像データから表示用画面データを生成して、前記液晶表示装置に出力することにより、情報量を減らさない表示を行なうことができる。
【００１４】
ここで、前記液晶制御装置は、さらに前記部分画像データの表示位置を読み込み、読み込んだ表示位置にしたがって前記表示用画面データを配置し、前記表示用画面データを生成することができる。
【００１５】
上記課題を解決するため本発明の第２の態様によれば、制御装置と、液晶表示装置を制御する液晶制御装置と、主記憶装置とを備え、前記制御装置と前記液晶制御装置とが前記主記憶装置のバスを共有する電子機器のコントローラにおける液晶表示装置の表示制御方法であって、
前記電子機器の処理状態を取得するステップと、
前記処理状態があらかじめ定めた状態である場合に、
前記液晶表示装置の内部に簡易画像データを格納するステップと、
前記主記憶装置から前記液晶表示装置に、前記液晶表示装置の表示画面より小さいサイズの部分画像データを繰り返し出力するステップと、
前記液晶表示装置が、前記格納された簡易画像データと前記繰り返し入力される部分画像データとから表示用画面データを生成して、前記液晶表示装置に表示させるステップとを有することを特徴とする液晶表示装置の表示制御方法が提供される。
【発明を実施するための最良の形態】
【００１６】
本発明の実施例を図面を参照して説明する。
【００１７】
図１は、本発明を適用した電子機器のＬＣＤ関連の構成を示すブロック図である。本実施例では電子機器としてプリンタ（印刷装置）を想定しているが、本発明はこれに限られない。例えば、プリンタとスキャナの複合機、携帯電話、ＰＤＡ（Personal Digital Assistant）等の携帯情報端末装置、家庭用電化製品等広く適用することができる。
【００１８】
本図に示すように、本実施例では、主制御装置であるＣＰＵ１０、メモリコントローラ２０、表示制御装置であるＬＣＤコントローラ３０、ＲＯＭ１２０、ＲＡＭ１３０を備えたコントローラ１００がＬＣＤ２００における表示を制御する構成となっている。ＬＣＤ２００は、所定のドットサイズを有する表示画面とドライバとを含んでいる。
【００１９】
ここでは、ＣＰＵ１０、ＬＣＤコントローラ３０、ＲＯＭ１２０、ＲＡＭ１３０は、メモリコントローラ２０を介してデータのやり取りを行なうようになっており、ＬＣＤコントローラ３０がＬＣＤ２００を直接的に制御している。なお、ＣＰＵ１０、メモリコントローラ２０、ＬＣＤコントローラ３０は、１チップの集積回路１１０で構成されているものとするが、本発明は、これらの構成に限られるものではない。
【００２０】
本発明を適用した電子機器をプリンタとした場合には、コントローラ１００は、図示しない入出力インタフェースを介してホストコンピュータに接続される。ホストコンピュータから印刷データが送られると、印刷処理が開始され、ＣＰＵ１０はＲＡＭ１３０を作業領域として印刷データをイメージデータに展開する。そして、展開されたイメージデータを図示しない印刷エンジンに出力し、印刷が実行される。印刷エンジンは、レーザプリンタであれば、レーザ照射機構、感光体ドラム、紙送り機構等により構成される。もちろん、インクジェット式の印刷エンジンを用いるようにしてもよい。
【００２１】
このように、印刷処理中等においては、ＣＰＵ１０の処理量が増え、図中のパスＰ１が示すＣＰＵ１０とＲＡＭ１３０との間の経路（メモリバス）で多くのデータのやり取りが行なわれることになる。これは、電子機器の起動時、各種演算処理中等についても同様である。
【００２２】
ＬＣＤコントローラ３０は、ＲＡＭ１３０からＬＣＤ表示用のデータを受け付けてＬＣＤ２００に画面データを、例えば、１秒間に６０回の割合で出力する。
【００２３】
本実施例においてＬＣＤコントローラ３０がＲＡＭ１３０から受け付けるＬＣＤ表示用のデータは２種類ある。一方はＬＣＤ表示領域全体をカバーする大きさのフル画面データであり、他方は、ＬＣＤに表示するデータの一部を示す部分表示データである。これらのＬＣＤ表示用データは、プリンタの状態等に応じて選択的に送られてくる。
【００２４】
ＬＣＤ２００で表示するための表示用データはＲＯＭ１２０にあらかじめ格納されている。そして、表示の際に、ＲＡＭ１３０に読み込まれて、図中のパスＰ２が示す経路でＲＡＭ１３０からＬＣＤコントローラ３０へ、例えば、１秒間に６０回の割合で出力される。１秒間に６０回の割合での出力は、ＬＣＤ２００における表示品質を保つためのものであり、表示内容が変化しない場合でも出力される。
【００２５】
フル画面データは、従来の表示に用いられてる表示用データと同様のものであり、ＬＣＤ２００の表示領域と同じドット数で構成されたイメージデータである。もちろん厳密に表示領域と同じドット数である必要はない。一方、部分表示データは、ＬＣＤ２００の表示領域よりも少ないドット数で構成されたイメージデータである。このため、部分表示データを表示する場合には、フル画面データを表示する場合よりもパスＰ２を流れるデータ量を少なくすることができる。すなわち、メモリバスの使用量が減ることになる。ただし、フル画面データを表示する場合よりも表示される情報量は少なくなる。
【００２６】
図２は、本実施例のＬＣＤコントローラ３０の特徴的な構成を示すブロック図である。本図に示すようにＬＣＤコントローラ３０は、表示データ生成部３１、送信部３２、内部メモリ３３を備えて構成される。
【００２７】
表示データ生成部３１は、ＲＡＭ１３０から送られたＬＣＤ表示用のデータに基づいて、ＬＣＤ２００の表示画面に表示させるための画面データを作成する。表示データ生成部３１の具体的な処理については後述する。
【００２８】
送信部３２は、表示データ生成部３１が生成した画面データをＬＣＤ２００に出力する処理を行なう。
【００２９】
内部メモリ３３は、ＬＣＤに表示するデータの一部である表示用簡易データを格納するためのメモリである。表示用簡易データは、データ量の少ない簡易なパターンで構成し、主としてＬＣＤ表示の背景、単純な図形等を表示するのに用いるためのデータである。表示用簡易データが示すパターンは繰り返して画面表示させることができるため、例えば、ＬＣＤ表示の背景を一色で埋める場合には、表示用簡易データは１ドット分のデータで足りる。また、異なる色を組み合わせた２ドット分のデータであれば、ストライプ模様を描くことができる。
【００３０】
このため、内部メモリ３３は、レジスタ等の小容量の記憶領域から構成することができる。なお、内部メモリ３３は、異なる複数個の表示用簡易データを格納できるようにしてもよい。
【００３１】
つぎに、ＬＣＤ２００の表示処理について、本発明をプリンタに適用した場合を例に、図４のフロー図を参照して説明する。
【００３２】
プリンタでは、その状態等に応じてＬＣＤ２００に種々の表示を行なう。例えば、ユーザから各種の設定を受け付ける際には、メニュー等のユーザインタフェース画面を表示する。また、印刷実行中には印刷中である旨を表示し、エラーが発生した場合にはその内容を示すエラー画面を表示をする。以下に説明する処理は、ＬＣＤ２００に何らかの表示を行なう際に開始する。この場合、表示すべき内容はすでに決定している。
【００３３】
まず、ＣＰＵ１０は、プリンタの状態（ステータス）を取得する。ここでのステータスは、フル画面データを用いてＬＣＤ２００の表示を行なうか、部分表示データを用いてＬＣＤ２００の表示を行なうかの基準となるものであり、あらかじめその規則が定められているものとする。
【００３４】
一般的な基準としては、ＣＰＵ１０の処理負荷が高い状態のときは、図１のパスＰ１のデータ転送速度を十分確保するために、部分表示データを用いるようにし、ＣＰＵ１０の処理負荷が低い状態、あるいは、情報量を多く必要とする表示を行なうときはフル画面データを用いるようにする。逆にいえば、あまり情報量の必要でない表示を行なう場合には、部分表示データを用いることでメモリバスの使用量を減らして、他の処理にメモリバスの使用量を多く割り当てるようにすることができる。
【００３５】
例えば、プリンタが印刷状態にある場合には、ＣＰＵ１０の処理負荷が高いため、部分表示データを用いることにより、パスＰ２が使用する帯域を減らして、パスＰ１の帯域を確保することで、従来よりも印刷処理速度を向上させることができる。
【００３６】
また、プリンタがユーザからの設定受付状態の場合には、ＣＰＵ１０の処理負荷は比較的低いので、従来のようにフル画面データを用いるようにする。これにより、部分表示データを用いる場合より情報量の多いユーザインタフェース画面を提供することができる。
【００３７】
この結果、フル画面データを用いるステータスの場合（Ｓ１０２：Ｙ）には、ＲＯＭ１２０から表示すべき内容に対応するフル画面データを読み出してＲＡＭ１３０に格納する（Ｓ１０３）。
【００３８】
そして、ＬＣＤコントローラ３０にフル画面データを表示する旨の指示を行なう（Ｓ１０４）。この指示に対応して、ＬＣＤコントローラ３０は、パスＰ２によりＲＡＭに格納されたフル画面データを、例えば、１秒間に６０回の割合で読み込んで、ＬＣＤ２００に供給する。これにより、ＬＣＤ２００の表示画面には、フル画面データにしたがった表示がなされる（Ｓ１０５）。
【００３９】
すなわち、フル画面データが、図５（ａ）に示すようなイメージデータであったとすると、ＬＣＤ２００の表示画面２００ａには、図５（ｂ）に示すような表示がなされることになる。
【００４０】
一方、部分表示データを用いるステータスの場合（Ｓ１０２：Ｎ）には、、ＲＯＭ１２０から表示すべき内容に対応する部分表示データを読み出してＲＡＭ１３０に格納する（Ｓ１０６）。
【００４１】
このように、本実施例では、ある表示すべき内容に対して、フル画面データと部分表示データの両方のデータをあらかじめＲＯＭ１２０に格納させておき、プリンタのステータスに応じて、いずれかの表示用データを用いるようにしている。ただし、表示すべき内容によっては、表示するステータスが一意に定まるものがある。例えば、「印刷中です」というようなコメントが表示されるのは印刷状態であることが明らかである。このような表示内容に対しては、一方の表示用データのみを格納しておくようにしてもよい。
【００４２】
ＲＯＭ１２０から読み出される部分表示データには、ＬＣＤ２００の表示領域の一部を表示するためのイメージデータである。このため、部分表示データには、部分表示データを表示する領域を示すデータおよび他の領域を表示するためのデータが付随してＲＯＭ１２０に記録されている。
【００４３】
図３は、ＲＯＭ１２０に記録されている部分表示データと付随するデータの構成例を示す図である。本図に示すように、部分表示データ３０１には、表示位置３０２と表示用簡易データ情報３０３とが付随している。表示用簡易データ情報３０３は、さらに、１または複数の表示用簡易データ３０３ａと領域情報３０３ｂとから構成される。
【００４４】
ここで、表示位置３０２は、ＬＣＤ２００の表示領域内で部分表示データ３０１を表示する位置を示す情報である。表示する位置は、例えば、ＬＣＤ２００の表示領域内の座標で表わすことができる。
【００４５】
表示用簡易データ情報３０３は、部分表示データ３０１以外の領域を表示するための情報である。すなわち、表示用簡易データ３０３ａは、その表示パターンを示すイメージデータであり、領域情報３０３ｂは、そのパターンで埋める領域を示す情報である。なお、表示用簡易データ３０３ａが１つの場合には、そのパターンで埋める領域は、部分表示データ３０１以外の領域であることが明らかであるため、領域情報３０３ｂは省くようにしてもよい。
【００４６】
ＲＯＭ１２０から読み出された部分表示データ３０１はＲＡＭ１３０に格納される（Ｓ１０６）。部分表示データ３０１は、メッセージ等の表示すべき内容を表わすものであるため、単純なパターンである表示用簡易データ３０３ａよりもデータ量が多くなる。このため、容量が限られているＬＣＤコントローラ３０の内部メモリ３３ではなく、ＲＡＭ１３０に格納される。
【００４７】
一方、部分表示データ３０１に付随するデータである表示位置３０２および表示用簡易データ情報３０３は、部分表示データを表示する旨の指示とともに、ＬＣＤコントローラ３０に送信される（Ｓ１０７）。
【００４８】
ＬＣＤコントローラ３０は、受信した表示用簡易データ３０３ａを内部メモリ３３に格納する（Ｓ１０８）。表示用簡易データ３０３ａが複数の場合には、それぞれを区別して格納する。
【００４９】
また、ＬＣＤコントローラ３０の表示データ生成部３１は、受信した表示位置３０２、領域情報３０３ｂを記憶する。表示データ生成部３１には、これらのデータを記憶するための記憶領域が備えられているものとする。
【００５０】
そして、表示データ生成部３１は、ＲＡＭ１３０からパスＰ２の経路で取得する部分表示データ３０１と、受信した付随データに基づいてＬＣＤ２００に表示させるための画面データを作成する（Ｓ１０９）。
【００５１】
画面データの作成は、例えば、以下のように行なうことができる。すなわち、ＲＡＭ１３０から取得した部分表示データ３０１を、表示位置３０２で示される位置に配置する。そして、内部メモリ３３に格納した表示用簡易データ３０３ａを領域情報３０３ｂで示される領域に繰り返し埋め込むことで、ＬＣＤ２００に表示させるための画面データを作成する。
【００５２】
例えば、ＲＡＭ１３０から読み込む部分表示データ３０１が図６（ａ）に示すようなメッセージであり、その表示位置３０２が図６（ｃ）に示す領域２０２であり、内部メモリ３３に格納した表示用簡易データ３０３ａが図６（ｂ）に示すようなパターンであり、その領域情報３０３ｂが図６（ｃ）に示す領域２０１であったとする。すると、ＬＣＤ２００の表示画面には、図６（ｄ）に示すような表示がなされることになる。
【００５３】
この場合、図６（ａ）に示す部分表示データ３０１は、ＲＡＭ１３０に格納されているため、例えば、１秒間に６０回の割合で、パスＰ２の経路でＲＡＭ１３０からＬＣＤコントローラ３０に読み込まれる。
【００５４】
しかし、部分表示データ３０１は、フル画面データよりもサイズが小さいため、メモリバスの使用量を少なくすることができる。これにより、ＣＰＵ１０の処理により使用するメモリバスを広く確保することができ、処理速度が向上することになる。また、表示用簡易データ３０３ａはデータ量が少ないため、ＬＣＤコントローラ７３０が備えるレジスタに格納することができる。このため、ＬＣＤ表示専用のビデオメモリを用いる必要はない。
【００５５】
図７は、表示用簡易データ３０３ａが複数ある場合の例である。すなわち、部分表示データ３０１が図７（ａ）に示すような「印刷中止」メッセージであり、その表示位置が図７（ｄ）に示す領域２０４であったとする。また、表示用簡易データ３０３ａが図７（ｂ）および図７（ｃ）に示すようなパターンであり、それぞれの領域が図７（ｄ）に示す領域２０３および領域２０５であったとする。具体的には、図７（ｂ）に示す表示用簡易データ３０３ａが１ドットで表示可能な背景色であり、図７（ｃ）に示す表示用簡易データ３０３ａがボタンを示す単純な図形であったとする。
【００５６】
この場合、ＬＣＤ２００の表示画面には、図７（ｅ）に示すような印刷中止を指示するためのボタン表示がなされることになる。
【００５７】
以上、本発明の実施例について説明したが、本発明は上記の例に限定されるものではない。
【００５８】
例えば、上記の例では、フル画面データと部分表示データとを独立させてＲＯＭ１２０に格納するようにしていたが、フル画面データのみを格納しておき、部分表示データが必要な場合には、フル画面データの一部を抽出等して部分表示データを作成するようにしてもよい。
【００５９】
また、上記の例では、表示データ生成部３１、内部メモリ３３をＬＣＤコントローラ３０内に設けていたが、ＬＣＤコントローラ３０から独立させて設けてもよいし、ＬＣＤ２００内に設けるようにしてもよい。
【００６０】
また、上記の例では、表示用簡易データは部分表示データに付随するようにしていたが、表示用簡易データを部分表示データから独立させるようにしてもよい。この場合、表示用簡易データを１または複数個の固定データとして、内部メモリ３３にあらかじめ記録しておくようにしてもよい。
【図面の簡単な説明】
【００６１】
【図１】本発明を適用した電子機器のＬＣＤ関連の構成を示すブロック図である。
【図２】ＬＣＤコントローラの特徴的な構成を示すブロック図である。
【図３】部分表示データと付随するデータの構成例を示す図である。
【図４】ＬＣＤの表示処理について説明するためのフロー図。
【図５】フル画面データにしたがった画面データの作成例を示す図である。
【図６】表示用簡易データを用いた画面データの作成例を示す図である。
【図７】表示用簡易データが複数ある場合の画面データの作成例を示す図である。
【図８】従来の電子機器のＬＣＤ関連の構成を示すブロック図である。
【符号の説明】
【００６２】
１０…ＣＰＵ、２０…メモリコントローラ、３０…ＬＣＤコントローラ、３１…表示データ生成部、３２…送信部、３３…内部メモリ、１００…コントローラ、１１０…集積回路、１２０…ＲＯＭ、１３０…ＲＡＭ、２００…ＬＣＤ、７１０…ＣＰＵ、７２０…メモリコントローラ、７３０…ＬＣＤコントローラ、７４０…ＲＡＭ
【図１】
2006343511.tif 000003
【図２】
2006343511.tif 000004
【図３】
2006343511.tif 000005
【図４】
2006343511.tif 000006
【図５】
2006343511.tif 000007
【図６】
2006343511.tif 000008
【図７】
2006343511.tif 000009
【図８】
2006343511.tif 000010